(57)【要約】【課題】    従来の微生物での消臭剤では即効性と貯蔵安定性に問題があった。即効性では微生物の胞子（休眠形態）として使用し始めるためであり、貯蔵安定性では使用する水に酸素が存在するためである。【解決手段】    使用する水に脱酸素水を用い、即ち、溶存酸素を極端に少なくすることによって、またＥＭ菌固定化粉末の水分含有量を２．０〜１５．０％にすることによって、それと、ＥＭ菌数を制限する、即ち、吸水樹脂に対するＥＭ菌固定化粉末の散布量を２．０〜１０．０％にすることによって、消臭吸収製品の消臭即効性と貯蔵安定性を大いに高めるものである。【特許請求の範囲】
【請求項１】
ＥＭ菌含有脱酸素水を、粉末に浸し、十分に濡らした後、乾燥し、水分含有のＥＭ菌固定化粉末を得る。該ＥＭ菌固定化粉末を、消臭吸収製品の排泄物接触部分に、均一に散布した後、接着させ、固定化した消臭吸収製品収製品。
【請求項２】
粉末がシリカ、ゼオライト、ベントナイト、珪藻土、炭素、澱粉、オカラから選ばれる少なくとも１種類以上である請求項１記載の消臭吸収製品。
【請求項３】
水分含有のＥＭ菌固定化粉末の水分含有量が２．０〜１５％であり、好ましくは４．０〜８．０％である請求項１、２記載の消臭吸収製品。
【請求項４】
消臭吸収製品の排泄物接触部分に均一に散布した後、の散布機がブラスト加工用である請求項１、２、３記載の消臭吸収製品。
【請求項５】
ＥＭ菌固定化粉末の吸水樹脂（消臭吸収製品の排泄物接触部分）に対する散布量は２．０〜１０．０％であり、好ましくは４．０〜７．０％である請求項１，２、３，４記載の消臭吸収製品。
【請求項６】
接着させ、固定化した消臭吸収製品、の接着剤がホットメルト接着剤である請求項１、２、３、４、５記載の消臭吸収製品。
【請求項７】
消臭吸収製品がおむつ、生理用ナプキンである請求項１、２、３、４、５、６記載の消臭吸収製品。
【発明の詳細な説明】
【技術分野】
【０００１】  本発明は消臭吸収製品、特におむつ、生理用ナプキンに関し、悪臭防止に大いに役立つものである。
【背景技術】
【０００２】  高齢化社会が始まりつつ、おむつを必要とする認知症と寝たきりに介護が多くなり、排泄物の臭いが問題となっている。この悪臭を少なくする消臭機能を持つおむつが強く望まれている。【０００３】  消臭機能を持つおむつに関しては、乳酸産生微生物の胞子（休眠形態）を吸収製品に保持させた生理用ナプキン、幼児用おむつ等のことが記述されている。おむつに排泄物が接触すると、これを栄養として胞子が発芽した後、菌が増殖し、排泄物の悪臭を防止するもである（例えば、特許文献１参照。）。
また、微生物を利用した消臭製品には貯蔵安定性に問題があるものが多い。
【先行技術文献】
【特許文献】
【０００４】
【特許文献１】  特表２００３−５２０１０５
【発明の概要】
【発明が解決しようとする課題】
【０００５】  しかしながら、以上述べた従来のおむつに排泄物が接触すると、胞子が発芽してから菌が増殖するので、増殖に時間がかかるので、その分、消臭効果が減じるものである。
また、微生物を利用した消臭製品には貯蔵安定性に問題があるものが多い。【０００６】  本発明は排泄物が接触すると、すぐに菌が増殖し、即効的に悪臭を非常に少なくし、貯貯蔵安定性が良いことを目的とするおむつである。
【発明を解決するための手段】
【０００７】  本発明は上記目的を達成するために、ＥＭ菌含有脱酸素水を、粉末に浸し、十分に濡らした後、乾燥し、水分含有のＥＭ菌固定化粉末を得る。該ＥＭ菌固定化粉末を、消臭吸収製品の排泄部分に、均一に噴霧した後、接着させ、固定化した消臭吸収製品にする。粉末がシリカ、ゼオライト、ベントナイト、珪藻土、炭素、澱粉、オカラから選ばれる少なくとも１種類以上である。水分含有量が２．０〜１５．０％であり、好ましくは４．０〜８．０％である。均一に散布する散布機がブラスト加工用である。ＥＭ菌固定化粉末の吸水樹脂（消臭吸収製品の排泄物接触部分）に対する散布量は２．０〜１０．０％であり、好ましくは４．０〜７．０％である。ＥＭ菌固定化粉末を接着する接着剤がホットメルト接着剤である。消臭吸収製品がおむつ、生理用ナプキンである。
【０００８】  ＥＭ菌は有用微生物群の英語Ｅｆｆｅｃｔｉｖｅ  Ｍｉｃｒｏｏｒｇｎｉｓｍｓの頭文字からなる単語であり、農業分野での土壌改良用として開発した微生物資材の名称である。自然界にある５群（乳酸菌群、酵母菌群、光合成細菌群、発酵系の糸状菌群、グラム陽性の放射菌群）から嫌気、微好気の複数の有用な微生物を集め培養し、液中に複合共生させた資材である。土壌改良、家庭排水の浄化、悪臭の除去、水質浄化、ゴミ処理等に応用されている。該ＥＭ菌溶液を脱酸素水に０．１〜１０．０％を添加し使用し、好ましくは１．０〜５．０％である。０．１％未満であると、ＥＭ菌が少なく、おむつ内で長期間では死滅する可能性があるためであり、１０．０％超であると効果は同じである。
【０００９】  脱酸素水は水中の酸素を除去したものであり、減圧により、また、二酸化炭素ガスを被処理水に接触させたり、加熱水を噴霧すること等により、水中の溶存酸素を除去したものである。ＥＭ菌溶液を脱酸素水に添加し使用する理由は、脱酸素水には酸素が極端に少ないので、ＥＭ菌をおむつ等内で、低濃度で死滅せず長期間保持し、排泄物に接触の必要時に瞬間的に大量に増殖させるためである。
【００１０】  粉末としてはシリカ、ゼオライト、ベントナイト、珪藻土、炭素、澱粉、オカラから選から１種類以上であり、好ましくは粒径を制御しやすいシリカ、ゼオライトが良い。粒径はおむつに使用する吸水樹脂の粒径５００μ以下が良く、好ましくは１００μ以下が良い。
【００１１】  水分含有のＥＭ菌固定化粉末の水分含有量は２．０〜１５％であり、好ましくは４．０〜８．０％である。２．０％未満であるとＥＭ菌が低濃度であり、短時間に増殖しない。１５．０％超であると効果は同じであるが、水分が吸水樹脂に吸収され、その水吸収力を低下させる。
【００１２】  おむつの排泄物接触部分にあたる、８．０〜１２．０ｇ／１枚の吸水樹脂に、ＥＭ菌固定化粉末を均一に散布する散布機がサンドブラスト、スチールショット等のブラスト加工用のものを使用する。ＥＭ菌固定化粉末の吸水樹脂に対する散布量は２．０〜１０．０％がが良い。好ましくは４．０〜７．０％が良い。２．０％未満であるとＥＭ菌が低濃度であり、短時間に増強しない。１０．０％超であると効果は同じである。
【００１３】  該吸水樹脂に、ＥＭ菌固定化粉末を均一に散布した後、接着する接着剤に、水を含まないホットメルト接着剤を使用する。無溶剤の固体接着剤で、ポリエステル系、変性オレフィン系、ＥＶＡ系等があり、加熱溶融し液状化してホットメルトガンを使用し、被写体にに塗布し、冷却固化によって短時間で接着できる。
【００１４】  消臭吸収製品のおむつ、生理用ナプキンは、水透過性表面シートと水不透過性裏面シートと、これらのシートの間に設けられた、表面にＥＭ菌固定化粉末が均一に接着された吸水樹脂層からなっている。吸水樹脂としてはポリアクリル酸、ポリアクリル酸エステル、アクリル酸エステル−酢酸ビニル共重合体ケン化物、架橋ポリビニルアルコール系吸水樹脂等が挙げられる。
【発明の効果】
【００１５】  上述したように本発明の消臭吸収製品は、排泄物に接触すると消臭即効性があり、また、貯蔵安定性がすぐれている消臭吸収製品を提供できる。
【発明を実施するための形態】
【００１６】  脱酸素水に、ＥＭ菌溶液を０．１〜１０％を秤量し、添加し、そして攪拌する。これに、シリカ、ゼオライト等の粉末を加え、十分に、粉末を液に濡らすため攪拌する。次に、熱、真空乾燥等で乾燥し、水分含有量が２．０〜１５．０％のＥＭ菌固定化粉末を得る。該ＥＭ菌固定化粉末を、おむつの排泄物接触部分（吸水樹脂）に、ブラスト加工用散布機を用いて均一に散布した後、この部分に、加熱溶融したホットメルト接着剤を散布し、ＥＭ菌固定化粉末を吸水樹脂に接着させる。次に、この表面に、水透過性表面シートを被せ、吸水樹脂を保持している水不透過性裏面シートと、熱等で接合させおむつを作成する。
【実施例】
【００１７】実施例１
容器に、脱酸素水・１０００ｇを加え、これにＥＭ菌溶液・４０ｇを秤量し添加し、そして攪拌する。これに、シリカ（５００μ以下）・１０００ｇの粉末を加え、十分に、シリカ粉末を液に濡らすため攪拌する。次に、４０℃で５時間熱風乾燥し、水分含有量が４．５％のＥＭ菌固定化粉末・１０２０ｇを得る。該ＥＭ菌固定化粉末・４０ｇを、１００枚のおむつの排泄物接触部分（吸水樹脂・ポリアクリル酸・１０ｇ／１枚、５００μ以下）に、サンドブラスト加工用散布機を用いて均一に散布した後、この部分に、加熱溶融したＥＶＡ系のホットメルト接着剤を散布し、ＥＭ菌固定化粉末を吸水樹脂（ポリアクリル酸）に接着させる。次に、この表面に、水透過性表面シートを被せ、吸水樹脂（ポリアクリル酸）を保持している水不透過性裏面シートと、加熱接合させ１００枚のおむつを作成する。【００１８】  微生物培養試験
おむつの排泄物接触部分をカミソリで５ｃｍ×５ｃｍ（２５ｃｍ２）切り出し、この切片を無菌水５０ｍｌで通した溶液０．０５ｍｌを、標準寒天地に塗抹して、３０℃−７２時間培養後に発生したコロニ−数を計数して、単位面積（ｃｍ２）当たりの菌数を求めた。生菌数は２．０×１０の１２乗であった。【００１９】  消臭試験
上述した消臭吸収製品・おむつ・５０枚と処理しないおむつ・５０枚を使用し、それぞれ、ある一定期間に、おむつを充てたり、取り外したり、廃棄したりの実際の行動で、臭い程度を複数の人による官能検査で調べた。結果は、消臭吸収製品・おむつが、処理しないおむつに比べ、大いに悪臭を減じていることが判明した。【００２０】比較例１
実施例１の脱酸素水を水道水（脱酸素していない水）に変えた以外は、同じで１００枚のおむつを作成した。【００２１】  微生物培養試験
実施例１と同じように、菌数を求めた。生菌数は２．１×１０の１３乗／ｃｍ２であった。但し、シャーレほとんど一面に、薄く、薄青色、薄赤色のカビが発生し、臭いも少々あった。【００２２】  消臭試験
微生物培養試験でカビ、臭いもあったので消臭試験は中止した。【００２３】実施例２
容器に、脱酸素水・１０００ｇを加え、これにＥＭ菌溶液・１０ｇを秤量し添加し、そして攪拌する。これに、ゼオライト（１００μ以下）・１０００ｇの粉末を加え、十十分に、、ゼオライト粉末を液に濡らすため攪拌する。次に、１０時間真空乾燥し、水分含有量が８．０％のＥＭ菌固定化粉末・１００５ｇを得る。該ＥＭ菌固定化粉末・６３ｇを、１００枚の生理用ナプキンの排泄物接触部分（吸水樹脂・アクリル酸エステル−酢酸ビニル共重合体・９ｇ／１枚、５００μ以下）に、サンドブラスト加工用散布機を用いて均一に散布した後、この部分に、加熱溶融したポリエステル系のホットメルト接着剤を散布し、ＥＭ菌固定化粉末を吸水樹脂（アクリル酸エステル−酢酸ビニル共重合体）に接着させる。次に、この表面に、水透過性表面シートを被せ、吸水樹脂（アクリル酸エステル−酢酸ビニル共重合体）を保持している水不透過性裏面シートと、加熱接合させ１００枚の生理用ナプキンを作成する。【００２４】  微生物培養試験
実施例１と同じように、菌数を求めた。生菌数は１．６×１０の９乗／ｃｍ２であった。【００２５】  消臭試験
上述した消臭吸収製品・生理用ナプキン・５０枚と処理しない生理用ナプキン・５０枚を使用し、それぞれ、ある一定期間に、生理用ナプキンを実際使用してもらい、臭い程度を複数の人による官能検査で調べた。結果は、消臭吸収製品・生理用ナプキンが、処理しない生理用ナプキンに比べ、大いに悪臭を減じていることが判明した。【００２６】比較例２
実施例２の、１５時間の真空乾燥をして、水分含有量が１．８％に変えた以外は、同じで１００枚の生理用ナプキンを作成した。【００２７】  微生物培養試験
実施例１と同じように、菌数を求めた。生菌数は４８０個／ｃｍ２であった。【００２８】  消臭試験
微生物培養試験で生菌数が極端に少ないので消臭試験は中止した。
【産業上の利用可能性】  介護、医療等の産業上において大いに利用される。